【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）によって、前記ＵＥのためのリソースのアップリンク（ＵＬ）グラントを備えるダウンリンク制御情報（ＤＣＩ）を受信することと、ここで、前記ＤＣＩが、ＤＣＩフォーマットを有し、変調コーディング方式（ＭＣＳ）テーブルリファレンスを搬送するように構成される、
物理ダウンリンク制御チャネル（ＰＤＣＣＨ）のサーチスペースのどこで前記ＤＣＩが通信されるかを決定することと、
前記ＤＣＩ中の１つまたは複数のビットを識別することと、
前記ＤＣＩが前記ＰＤＣＣＨの共通サーチスペースで通信されるのかＵＥ固有サーチスペースで通信されるのかに少なくとも部分的に基づいて、および前記識別された１つまたは複数のビットに少なくとも部分的に基づいて、複数のＭＣＳテーブルからＭＣＳテーブルを識別することと、ここにおいて、前記ＭＣＳテーブルが、前記ＵＬグラントにおいて許可される前記リソース上でのＵＬ送信のために利用されるべき変調およびコーディングを定義する、
前記ＭＣＳテーブルに従って変調およびコーディングされた１つまたは複数のＵＬ送信を送ることと
を備える、方法。
【請求項２】
前記複数のＭＣＳテーブルが、少なくとも、最高１次までの直交振幅変調に関連するレガシーＭＣＳテーブルと、最高２次までの直交振幅変調に関連する非レガシーＭＣＳテーブルとを備え、前記２次が前記１次よりも高い、請求項１に記載の方法。
【請求項３】
前記ＭＣＳテーブルを識別することが、前記ＤＣＩが前記共通サーチスペース中に含まれていることに少なくとも部分的に基づいて第１のＭＣＳテーブルを選択し、前記ＤＣＩが前記ＵＥ固有サーチスペース中に含まれていることに少なくとも部分的に基づいて第２のＭＣＳテーブルを選択することをさらに備える、請求項１に記載の方法。
【請求項４】
前記ＭＣＳテーブルを識別することが、前記ＤＣＩが通信される制御チャネルのタイプ、前記ＤＣＩをマスキングするために使用されるマスキングコード、または前記ＤＣＩが通信される前記ＰＤＣＣＨのサブフレームのうちの１つに少なくとも部分的にさらに基づく、請求項１に記載の方法。
【請求項５】
前記ＤＣＩフォーマットが、ＤＣＩフォーマット０またはＤＣＩフォーマット４のうちの１つまたは複数である、請求項１に記載の方法。
【請求項６】
２つ以上の拡張物理ダウンリンク制御チャネル（ＥＰＤＣＣＨ）リソースセットの構成を受信すること、ここにおいて、前記ＭＣＳテーブルを識別することが、前記ＤＣＩが第１のＥＰＤＣＣＨリソースセット中で通信されるのか第２のＥＰＤＣＣＨリソースセット中で通信されるのかに少なくとも部分的にさらに基づく、
をさらに備える、請求項１に記載の方法。
【請求項７】
前記ＭＣＳテーブルを識別することが、
ＭＣＳテーブルインデックスを識別することと、
前記ＭＣＳテーブルインデックスに基づいて第１のＭＣＳテーブルまたは第２のＭＣＳテーブルのエントリを決定することと、ここにおいて、前記第１のＭＣＳテーブルと前記第２のＭＣＳテーブルとが１つまたは複数の共通のエントリを共有する、
をさらに備える、請求項１に記載の方法。
【請求項８】
前記識別されたＭＣＳテーブルに関連する電力オフセットパラメータを決定すること、ここにおいて、第１の電力オフセットパラメータが第１のＭＣＳテーブルに関連付けられ、第２の電力オフセットパラメータが第２のＭＣＳテーブルに関連付けられる、
をさらに備える、請求項１に記載の方法。
【請求項９】
前記電力オフセットパラメータに基づいて前記１つまたは複数のＵＬ送信のうちの少なくとも１つのための送信電力を決定することをさらに備える、請求項８に記載の方法。
【請求項１０】
前記識別されたＭＣＳテーブルに関連するアップリンク制御情報（ＵＣＩ）オフセットパラメータを決定すること、ここにおいて、第１のＵＣＩオフセットパラメータが、関連する第１のＭＣＳテーブルに関連付けられ、第２のＵＣＩオフセットパラメータが、第２のＭＣＳテーブルに関連付けられる、
をさらに備える、請求項１に記載の方法。
【請求項１１】
前記ＵＣＩオフセットパラメータに基づいて前記１つまたは複数のＵＬ送信のうちの少なくとも１つと前記ＵＣＩを多重化するためのある数のリソース要素を決定することをさらに備える、請求項１０に記載の方法。
【請求項１２】
前記ＵＣＩが、ハイブリッド自動再送要求肯定応答（ＨＡＲＱ−ＡＣＫ）、ランクインジケータ（ＲＩ）、およびチャネル品質インジケータ（ＣＱＩ）のうちの１つまたは複数を備える、請求項１１に記載の方法。
【請求項１３】
前記ＤＣＩが前記ＵＥ固有サーチスペース中に含まれていることに少なくとも部分的に基づいて最高２５６直交振幅変調までに関連する非レガシーＭＣＳテーブルを選択すること
をさらに備える、請求項１に記載の方法。
【請求項１４】
ワイヤレス通信のための装置であって、
プロセッサと、
前記プロセッサと電子通信しているメモリと、
前記プロセッサによって実行可能な命令と
を備え、前記命令は、
ユーザ機器（ＵＥ）によって、前記ＵＥのためのリソースのアップリンク（ＵＬ）グラントを備えるダウンリンク制御情報（ＤＣＩ）を受信することと、前記ＤＣＩが、ＤＣＩフォーマットを有し、変調コーディング方式（ＭＣＳ）テーブルリファレンスを搬送するように構成される、
物理ダウンリンク制御チャネル（ＰＤＣＣＨ）のサーチスペースのどこで前記ＤＣＩが通信されるかを決定することと、
前記ＤＣＩ中の１つまたは複数のビットを識別することと、
前記ＤＣＩが前記ＰＤＣＣＨの共通サーチスペースで通信されるのかＵＥ固有サーチスペースで通信されるのかに少なくとも部分的に基づいて、および前記識別された１つまたは複数のビットに少なくとも部分的に基づいて、複数のＭＣＳテーブルからＭＣＳテーブルを識別することと、ここにおいて、前記ＭＣＳテーブルが、前記ＵＬグラントにおいて許可される前記リソース上でのＵＬ送信のために利用されるべき変調およびコーディングを定義する、
前記ＭＣＳテーブルに従って変調およびコーディングされた１つまたは複数のＵＬ送信を送ることと
を行うためのものである、装置。
【請求項１５】
前記複数のＭＣＳテーブルが、少なくとも、最高１次までの直交振幅変調に関連付けられたレガシーＭＣＳテーブルと、最高２次までの直交振幅変調に関連付けられた非レガシーＭＣＳテーブルとを備え、前記２次が前記１次よりも大きい、請求項１４に記載の装置。
【請求項１６】
前記ＭＣＳテーブルを識別するように実行可能な前記命令が、
前記ＤＣＩが前記共通サーチスペース中に含まれていることに少なくとも部分的に基づいて第１のＭＣＳテーブルを選択し、前記ＤＣＩが前記ＵＥ固有サーチスペース中に含まれていることに少なくとも部分的に基づいて第２のＭＣＳテーブルを選択するようにさらに実行可能である、請求項１４に記載の装置。
【請求項１７】
前記ＭＣＳテーブルを識別するように実行可能な前記命令が、
前記ＤＣＩが通信される制御チャネルのタイプ、前記ＤＣＩをマスキングするために使用されるマスキングコード、または前記ＤＣＩが通信される前記ＰＤＣＣＨのどのサブフレームかのうちの１つに少なくとも部分的に基づいて前記ＭＣＳテーブルを識別するようにさらに実行可能である、請求項１４に記載の装置。
【請求項１８】
前記ＤＣＩフォーマットが、ＤＣＩフォーマット０またはＤＣＩフォーマット４のうちの１つまたは複数である、請求項１４に記載の装置。
【請求項１９】
２つ以上の拡張物理ダウンリンク制御チャネル（ＥＰＤＣＣＨ）リソースセットの構成を受信するように実行可能な命令をさらに備え、
前記ＭＣＳテーブルを識別するように実行可能な前記命令が、前記ＤＣＩが第１のＥＰＤＣＣＨリソースセット中で通信されるか第２のＥＰＤＣＣＨリソースセット中で通信されるかに少なくとも部分的に基づいて前記ＭＣＳテーブルを識別するようにさらに実行可能である、請求項１４に記載の装置。
【請求項２０】
前記ＭＣＳテーブルを識別するように実行可能な前記命令が、
ＭＣＳテーブルインデックスを識別することと、
前記ＭＣＳテーブルインデックスに基づいて第１のＭＣＳテーブルまたは第２のＭＣＳテーブルのエントリを決定することと、ここにおいて、前記第１のＭＣＳテーブルと前記第２のＭＣＳテーブルとが１つまたは複数の共通のエントリを共有する、
を行うようにさらに実行可能である、請求項１４に記載の装置。
【請求項２１】
前記識別されたＭＣＳテーブルに関連する電力オフセットパラメータを決定するように実行可能な命令をさらに備え、第１の電力オフセットパラメータが第１のＭＣＳテーブルに関連付けられ、第２の電力オフセットパラメータが第２のＭＣＳテーブルに関連付けられる、請求項１４に記載の装置。
【請求項２２】
前記電力オフセットパラメータに基づいて前記１つまたは複数のＵＬ送信のうちの少なくとも１つのための送信電力を決定するように実行可能な命令をさらに備える、請求項２１に記載の装置。
【請求項２３】
プロセッサによって実行可能な命令を記憶するワイヤレス通信のための非一時的コンピュータ可読媒体であって、前記命令は、
ユーザ機器（ＵＥ）によって、前記ＵＥのためのリソースのアップリンク（ＵＬ）グラントを備えるダウンリンク制御情報（ＤＣＩ）を受信することと、ここで、前記ＤＣＩが、ＤＣＩフォーマットを有し、変調コーディング方式（ＭＣＳ）テーブルリファレンスを搬送するように構成される、
物理ダウンリンク制御チャネル（ＰＤＣＣＨ）のサーチスペースのどこで前記ＤＣＩが通信されるかを決定することと、
前記ＤＣＩ中の１つまたは複数のビットを識別することと、
前記ＤＣＩが前記ＰＤＣＣＨの共通サーチスペースで通信されるのかＵＥ固有サーチスペースで通信されるのかに少なくとも部分的に基づいて、および前記識別された１つまたは複数のビットに少なくとも部分的に基づいて複数のＭＣＳテーブルからＭＣＳテーブルを識別することと、ここにおいて、前記ＭＣＳテーブルが、前記ＵＬグラントにおいて許可される前記リソース上でのＵＬ送信のために利用されるべき変調およびコーディングを定義する、
前記ＭＣＳテーブルに従って変調およびコーディングされた１つまたは複数のＵＬ送信を送ることと
を行うためのものである、非一時的コンピュータ可読媒体。
【請求項２４】
ワイヤレス通信のための方法であって、
ダウンリンク制御情報（ＤＣＩ）を、ＤＣＩフォーマットおよびアップリンク（ＵＬ）送信に関連する１つまたは複数のビットを有するように、構成することと、
変調コーディング方式（ＭＣＳ）テーブルリファレンスを搬送するために物理ダウンリンク制御チャネル（ＰＤＣＣＨ）の共通サーチスペースまたはＵＥ固有サーチスペースのうちの１つで前記ＤＣＩをユーザ機器（ＵＥ）に送ることと、ここで、前記ＤＣＩが、前記ＵＥのためのリソースのＵＬグラントを備える、
前記ＵＥから、複数のＭＣＳテーブルからのＭＣＳテーブルに従って変調およびコーディングされた１つまたは複数のＵＬ送信を受信することと、ここで、前記ＭＣＳテーブルが、前記ＤＣＩ中で搬送される前記ＭＣＳテーブルリファレンスに基づいて識別される、
を備える、方法。
【請求項２５】
前記ＭＣＳテーブルリファレンスを搬送するために前記ＤＣＩを送ることが、前記ＰＤＣＣＨのサブフレーム中で前記ＤＣＩを送ること、または前記ＤＣＩをマスキングするためのマスキングコードで前記ＤＣＩを送ることをさらに備える、請求項２４に記載の方法。
【請求項２６】
前記ＤＣＩフォーマットが、ＤＣＩフォーマット０またはＤＣＩフォーマット４のうちの１つまたは複数である、請求項２４に記載の方法。